(57)【要約】【課題】顧客が望むシリーズ製品から外れる構造のコンベアを顧客のニーズにあわせて提供することにある。【解決手段】少なくともコンベアの駆動ユニット（イ）と、搬送路を構成するフレームと、ローラと、脚とを各々複数種類ずつ用意し、これらの要素を顧客が順次選択して特定のコンベアＡ１を構成し、顧客の望む最適なコンベアを提供することができる。【選択図】　図１
2004026425.tif 000002
【特許請求の範囲】
【請求項１】
少なくともコンベアの駆動ユニットと、搬送路を構成するフレームと、ローラと、脚とを各々複数種類ずつ用意し、これらコンベアの要素を顧客が順次選択して特定のコンベアを構成するコンベアの提供システム。
【請求項２】
少なくともコンベア駆動ユニットと、搬送路を構成するフレームと、テールブラケットと、テールローラと、脚とを各々複数種類ずつ用意し、これらのユニットや部材の図面や型式等をファイルに記入し、コンベアを顧客が同ファイルを見ながら各部品を順次選択して所望のコンベアを構成する請求項１記載のコンベアの提供システム。
【請求項３】
上記コンベアの提供システムにおいて、コンベアの顧客が選択したユニットや部品の組み合わせが可能か否かを表示したファイルを利用する請求項２記載のコンベアの提供システム。
【請求項４】
上記したファイルの表示をコンピュータの画面に順次表示し、顧客がこの画面を見ながら部品の選択を順次進めて所望のコンベアを構成するように構成した請求項２又は３記載のコンベアの提供システム。
【発明の詳細な説明】
【０００１】
【発明の属する技術分野】
この発明はメーカーから顧客へ向けたコンベアの提供に関し、さらに詳しくは、顧客がコンベアを構成する複数のユニットや部品を選択しながら顧客が望むコンベアを提供するシステムに関する。
【０００２】
【従来の技術】
従来、コンベアを製造する会社は、用途別にシリーズを思考して種々のコンベアを製造し、大方の業者が支障なく使用できるようなラインナップを組んでいる。即ち、搬送物の種類や形態、用途別にシリーズ分けして種々のコンベアを開発することにより、製造業者等、顧客の要望に対してできるだけ広く答えられるように努力している。
しかしながら、各業種を取り巻く環境は日々変化しており、顧客（製造業者等）要望は各業種によって多種多様であり、シリーズ化した既存のコンベアがそのまま使用することができず、顧客が求めるコンベアが無いためせっかくの商取引のチャンスを逃がしてしまうこともあろう。
【０００３】
顧客がコンベアに求める具体的な例としては、搬送路を構成するアルミ製のフレームをアルミを用いて構成した場合、アルミとベルトとの接触により摩耗が発生し、黒い微粉末が出てきて食品等の搬送物に異物として混入することを嫌う顧客がいる。また、アルミ製のフレームは、両側のＴ形スロットにゴミが溜まるのを嫌い、ＳＵＳフレームにしてＴ形スロットを無くし、平滑な表面にする要望等がある。
また、小型のベルトコンベアでは、脚にもアルミを採用している場合もあるが、アルミの脚は高価であるため、鉄製の脚にしてその分安価にしてほしい、さらに短納期を希望するなど顧客の要望は増える一方である。
しかしながら、コンベアを提供するメーカー側は、今までコンベアの特型として扱ってそれなりの製造時間を頂くか、もしくは、意思に適わぬが丁重にお断りしていた。勿論、十分な時間を頂ければ特型のコンベアも提供することはできる。しかし、本願出願人は、特型のコンベアを顧客のニーズとして捉え、短時間にて、例えば今までのシリーズ製品と同様な期間で納入できるシステムを開発してきた。その結果、顧客が特型のコンベアを必要とする時、即ちタイムリーに特型のコンベアを提供できるシステムを完成するに至った。このコンベア提供システムは営業的に重要な決め手となるであろう。
【０００４】
【発明が解決しようとする課題】
本発明は上記した如き従来事情を鑑みなされたものであり、その課題は、顧客が望むシリーズ製品から外れる構造のコンベアを顧客のニーズにあわせてタイムリーで合理的に提供することにある。
【０００５】
【課題を解決するための手段】
本発明は上記した課題を解決するために、コンベアの製造者は、コンベアの少なくともコンベアの駆動ユニットと、搬送路を構成するフレームと、ローラと、脚とを、各々形状や材質の異なるものを複数種類ずつ用意する。
これに対して顧客は、製造者が用意した複数のユニットや部品から自分の希望するユニットや部品を一つずつ選択し、最終的に顧客が希望する機能を十分に満たすコンベアを短時間且つタイムリーに提供することができる。
【０００６】
請求項２記載のコンベアの供給システムは、コンベアの製造者は、少なくともコンベア駆動ユニットと搬送路を構成するフレームと、テールブラケットと、テールローラと脚とを各々複数種類ずつ用意しておく。また、製造者は上記したように用意した駆動ユニットや部品の図面や型式等を順次記入したファイルを用意する。そして、コンベアの顧客が上記したファイルに記入された図面材質等を見ながらユニットや型式，材質等を考慮しながら選択していくことにより所望のコンベアを構成する。
【０００７】
請求項３記載のシステムは、上記請求項２記載のコンベアの提供システムにあって、顧客がコンベアのユニットや部品を順次選択して行く際に、選択したもの同士の組み合わせが構造的に可能であるか否かを表示したファイルを見ることにより、不可能な組み合わせを回避し、ユニットや部品の組み合わせの選択作業と整合性の確認を円滑に行うことができる。
【０００８】
請求項４記載のシステムは、請求項１又は３記載のコンベア提供システムにあって、ファイルの内容をコンピュータの画面に順次表示し、顧客がこの画面を見ながらユニットや部品の選択操作を順次進めながら所望のコンベアを構成するように構成したものである。
尚、この場合においては、選択したユニットや部品で構成したコンベアの外観を図面若しくは３Ｄ画面や静止画で表示したり、その組み合わせにおけるコンベアの価格等を表示してもよい。
【０００９】
【発明の実施の形態】
以下、本発明の一実施例を図面に基づいて説明する。
本発明は駆動ユニットや部品の選択を行うためのファイル図１，ｆａ（図２，ｆａ１及び図３，ｆａ２にて拡大表示）及び選択したユニットや部品が組み合わせ可能であるか否かを確認するファイルｆｂ（図４）を用いる。
図１乃至図３は、本発明のコンベア供給システムのファイルｆａとして構成したものであり、その内容は、駆動ユニット（イ群〜カ群），フレーム（キ群〜ス群），テールブラケット（セ群〜ナ群），テールローラ（ニ群〜ホ群），脚（マ群〜ヨ群），ベルト（ラ群及びル群）の６種類のコンベア構成要素があり、各々の「群」には７種類前後の部品が用意されている。
【００１０】
図４は顧客が選択したユニットや部品の組み合わせが可能であるか否かを確認するものでマトリックス式の表にまとめてある。縦列と横列にはそれぞれ原動部，フレーム，テールブラケット，テールローラ，脚，ベルトの枠があり、各枠には上記したカタカナ群（イ群〜カ群等）の列が縦横に配列してある。例えば、駆動ユニットの（イ）に対しフレームの（シ）を選んだ場合、縦横の配列が重なり合う部分には○印、すなわち組み合わせ可能であることを示す記載がある。一方、駆動ユニットの（イ）に対してフレームの（キ）を選んだ場合、縦横の列が重なり合う部分が空白、即ち組み合わせが不可能であることが分かる。また、△の印が記入されている部分が存在するが、これは、少々の手を加えること、例えばネジ孔の開口位置を少しずらす等の変更をすることにより、組み合わせが可能となる程のものである。
【００１１】
上記したマトリクス式の表には４種類の駆動ユニットから使用するものを選択する。例えば駆動ユニット（イ）の場合、型式ＤＢ１０〜ＤＢ５０までのイ群、また、駆動ユニット（ウ）の場合、型式ＤＣ１０〜ＤＣ５０までのウ群、そして、駆動ユニット（エ）の場合型式ＤＤ１５〜ＤＤ６０までのエ群、また、同類の駆動ユニット（オ）の場合、型式ＤＤ１５＿ＳＳ〜ＤＤ６０＿ＳＳ、さらに、４種類目の駆動ユニット（カ）の場合、型式ＤＥ１０〜ＤＥ５０までのカ群が用意される（図２，ｆａ１）。以降これと同様に、フレーム，テールブラケット，テールローラ，脚，ベルトにおいても上記した駆動ユニットの場合と機構的な分類分けがなされる。
【００１２】
次に、上記したファイルｆａとファイルｆｂとを使用して駆動ユニット，部品を選択してシリーズもののコンベアと、顧客の希望するベルトコンベアを構成するまでの説明を行う。
本発明のコンベア提供システムは、勿論従来のシリーズもののコンベアを組み合わせることができる。
まず、小型ベルトコンベアであるシリーズ物のベルトコンベア（型式ＭＭＸ）の組み合わせを説明する。駆動ユニットは（イ群）ＤＢ３０、フレームは（ク群）ＦＢ３０、テールブラケットは（ソ群）ＴＢ、テールローラ（ノ群）はＲＢ３０＿ＳＳ、脚は（ム群）ＬＢ３０＿ＡＬ、ベルトは（リ群）ＮＰ４３２６を組み合わせて構成してある。勿論、ファイルｆｂによる組み合わせのチェックも全て○印であり、問題なく組み立てることができる。
【００１３】
食品用の搬送に用いるシリーズ物のベルトコンベア（型式ＴＢＣ）の組み合わせは、駆動ユニットは（エ群）ＤＤ３０を使用する。フレームはステンレス製の（コ群）ＦＤ３０、テールブラケットは（チ群）ＴＤタイプ。テールローラは（フ群）ＲＤ３０脚はステンレス製の（モ群）ＬＤ３０、ベルトはル群の７０４タイプである。
【００１４】
次に顧客の選択に沿って部品を選択する際の説明をする。
顧客は、駆動ユニットとして（イ群）ＤＢ３０を選択した。フレームはステンレス製で蛇行防止用の溝を設けた（シ群）ＦＧ３０を選んだ（図２，ｆａ１）。ここでファイルｆｂを見ると、イ群とシ群とが重なる枠内には○印が記載されており、この組み合わせが可能と確認できる。テールブラケットは（チ群）のＴＤを選択。このチ群のテールブラケットはフレーム（シ群）の全てのものに対応しているので組み合わせが可能と確認できる。
また、顧客は組み合わせるテールローラとして（ネ群）ＲＢ３０を選択した（図３，ｆａ３）。テールローラのネ群とテールブラケットのチ群、及びフレームのシ群は共に○印で組み合わせ可能である。顧客は脚の選択にて鋼製の（メ群）ＬＢ３０＿ＳＳを選択した。ファイルｆｂを見ると脚のメ群とフレームのシ群とは全て取付可能である。ベルトは（リ群）ＮＰ４３２６を選択した。ベルトのリ群はフレームのシ群，テールブラケットのソ群と各々組み合わせ可能である（図３，ｆａ２）。この後は上記組み合わせに機幅と機長とを決め、さらにオプションを追加する希望がある場合オプションの選定を行う。これにて顧客の選択は終了し、顧客の望み通りのベルトコンベアＡ１が組まれたことになる（図１１）。
【００１５】
ところで、図５，図６，図７にて示すｆｃ１，ｆｃ２，ｆｃ３は、本願を実施したもう一つのコンベア提供システムを実施するために必要なシステムファイルを示している。
前記したファイルｆｂと同様に部品相互の適合を確認する目的で使用するファイルｆｃである（図９，ｆｃ１，ｆｃ２，ｆｃ３にて拡大表示）。このファイルｆｃもマトリクス式の表にしてまとめており、後述するファイルｆｅと合わせて使用する。ファイルｆｃは、表の上辺部分に沿って駆動部（駆動ユニット），フレーム，テールローラ／スナップローラ，テールブラケット，ベルト，脚の各要素を記入した枠が作られている。一方、同ファイルｆｃの左側の辺に沿っては（ｆｃ１）、上記した上辺部分と同様に、駆動部（駆動ユニット），フレーム，テールローラ／スナップローラ，テールブラケット，ベルト，脚の各要素を記入した枠が作ってある。
表の左側の各枠内には基本的に４タイプずつ、具体的には、ＭＭＸ２タイプ，ＭＭＸ２２４タイプ（小型タイプ），ＦＢ２Ｃタイプ，ＴＢＣ（センタードライブ型）タイプの駆動ユニットとフレーム，テールローラ／スナップローラ等の部品が記入され、さらに寸法、材質等の補足説明が記入してある（図５，ｆｃ１）。また、ファイルｆｃの上辺部と左側辺部とには原動ユニット品番ＤＡ１，ＤＢ１，ＤＣ１・・・，フレーム品番ＦＡ１，ＦＡ２，ＦＢ１・・・と順次記入してある。
【００１６】
上記したように、ファイルｆｃは、駆動ユニット，フレーム，テールローラ／スナップローラ，テールブラケット，ベルト，脚と順次選択する際において部品相互の適合，不適合を確認するためのものである。具体的に、関係する部品同士の組み合わせが可能か不可であるかの確認は、顧客の選択により決められた部品の組み合わせをマトリクスの枠に記入される○，△の印及び空白の表示を確認しながら確認、部品の選択を順次進めて顧客が求めるコンベアを組み立てる。
【００１７】
図８，図９にて示すファイルｆｅ（ｆｅ１，ｆｅ２として拡大）は、上記したコンベアパーツを選択する上で必要な駆動ユニットや各部品の品番，材質，防水対策の有無等を詳細に記載したものであり、この実施例の場合、ＨＡＣＣＰ（Ｈａｚａｒｄ　Ａｎａｌｙｓｉｓ　Ｃｒｉｔｉｃａｌ　Ｃｏｎｔｒｏｌ　Ｐｏｉｎｔｓ）「危害分析・重要管理点」の基準に基づいて設定した食品搬送用のコンベアを示している。このコンベアは、Ｆ１，Ｆ２，Ｆ３の各ゾーンに分類され、Ｆ１のコンベアは最も厳しい衛生管理を維持する義務のあるゾーンであり、例えば生肉やご飯を直接載せて搬送することを前提とした種類のコンベアである。尚、Ｆ１ゾーンのコンベアは衛生を維持するために頻繁に洗浄を繰り返すので上記したような防水対策を行う必要があり、駆動ユニットのボックス等には防水性を具備する物を使用している。
【００１８】
Ｆ２のコンベアは熱加工した食材をラップ等にて包んだ状態にて搬送する程度の使用を前提とした基準であり、本実施例の場合、上記したＦ１と比較すると駆動ユニットのボックスに防水対策を施してあるか無いかの差であり、その他はＦ１と共通する（Ｆ２のパーツ詳細は省略する）。
【００１９】
Ｆ３のコンベアは、食品として加工し、例えば弁当として包装した容器を段ボール箱の中に収納した状態で搬送する程度の使用を前提としている（ファイルの内容は省略する）。
【００２０】
図８中にはＦ１，Ｆ２，Ｆ３の各ゾーン用のコンベアに使用する駆動ユニット，部品の選択内容が順に表示されている。この例はシリーズ物の型式ＭＭＸ２２４をベースにして、各構成要素、例えば駆動ユニットやフレーム、テールローラ等の部品等を顧客が順次選択し、最後にベルト幅を選択して図１０にて示すように、顧客が最良とする組み合わせのコンベアＡ２を構成する。
コンベアの仕様選択Ｓ１にてコンベアの仕様を選択する（Ｓ１）この場合蛇行防止機能を有する型式ＶＧ若しくは標準の何方か一方を選択する。この場合顧客は標準を選択したものとする。次いで原動ユニットのタイプを選択するが（Ｓ２）この場合、標準のＭＭＸ２２４タイプＤＢ１を使用する。この選択により、駆動ユニット構造と駆動ユニット材質は必然的に決められる。即ち駆動ユニット構造（Ｓ３）と駆動ユニット材質（Ｓ４）は選択する必要はない。
【００２１】
また、ドライブプーリの材質（Ｓ５）ではウレタン樹脂からなる直径６５．５ｍｍのものが選択され、さらに軸受材質（Ｓ６）はＳＳ（自動調芯）に選定された。モータ仕様選択（Ｓ７）は標準である。取付・速度仕様選択（Ｓ８）は定速と変速（スピードコントロール）の二者択一であり顧客は定速式を選択した。
次に、防水ボックス・対策（Ｓ９）であるが、これは無しである。尚、防水対策を行いたい場合には、上記駆動ユニットとしてＤＣ１やＤＣ２を選択するとよい。
テールローラ径選択（Ｓ１０）は直径２７．２ｍｍと直径３４ｍｍとを選択できるが、顧客は小径の２７．２ｍｍを選択した（ファイルｆｃにより適合の確認）。
【００２２】
次いでテールローラ材質選択（Ｓ１１）ではＲＢ１，ＲＢ２，ＲＢ３，ＲＢ４の４種類から選択するが、顧客はＲＢ３を選択した（ファイルｆｃにより適合の確認）。尚、このように多くの選択肢がある場合は、営業担当者等が顧客の目的に応じたものをより円滑に選定するためのアドバイスを与えるとよいだろう。テールブラケットの材質の選択（Ｓ１２）はＴＢ１，ＴＤ１，ＴＤ２の３種類の中からＴＤ１が選択された（ファイルｆｃにより確認）。フレームの材質（Ｓ１３）は、ＦＢ１とＦＢ２の二者択一であるが、顧客はＦＢ２を選択した（ファイルｆｃにより適合の確認）。スナップローラ材質選択（Ｓ１４）は、ＲＢ１とＲＢ２の二者択一であるが、顧客はＲＢ２を選定した。また、ベルト仕様選択Ｓ１５は、ＢＡ１，ＢＡ２，ＢＢ１，ＢＢ２，ＢＣ１，ＢＣ２の６種類の物から選択する。顧客の希望はＢＣ１である（ファイルｆｃにより適合確認）。
【００２３】
続いて、ネジ材質（Ｓ１６），（脚仕様選択Ｓ１７），ベルト幅（Ｓ１８）を順次選択するが、顧客は、ネジ材質をＳＵＳ（ステンレス）に、また脚仕様の選択は型式ＦＨＡを選択した。最後にベルト幅を５００ｍｍとし、選択作業は終了した。また、各部品の組み合わせの適合確認は、その都度ファイルｆｃを見て確認する。
上記したようにコンベアの構成を確認した後、営業担当者は組み合わせの駆動ユニットと各部品の価格を計算して顧客に提示する。この際、予算的なことで無理があるならば、交換可能な部品、例えば脚仕様にて安価な脚を選択することにより、予算の都合をつける等の変更も可能である。図１１は、上記した工程にて部品を選択したコンベアの外観のファイルであり、何種類かのコンベアの外観図面を用意しておけば、顧客に大方の外観を見てもらうこともできる。
また、パーソナルコンピュ−タ−を利用することにより、コンベアの外観と最終価格とを速やかに表示することもできる。
【００２４】
ところで、上記した両実施例ではファイルｆａとファイルｆｂ，ファイルｆｃ，ファイルｆｅを用いて顧客の選択に沿ってベルトコンベアを組み上げたが、上記したファイルｆａに相当する図表をパーソナルコンピューター（以下ＰＣと略称する）の画面に表示し、マウスやキーボードを用いて顧客の意向に沿った選択作業を順次行うことにより、顧客の望む最適なコンベアを組み上げることができる。この際、コンベアの部品を選択する度にファイルｂにて行っていた組み合わせの是非の作業をファイルｂの画面に表すことなく結果だけを表示するように構成することもできる。また、選択作業の途中にて幾つかの選択を比較して見たい場合などは、ＰＣにインストールしたコンベアの要素を順次選択するソフトを構築してシステムのアイテムとして使用した方が便利であろう。
また、選択項目を全て選択した後には、組み上げたコンベアの外形を図面若くは３Ｄ画像にて観ることも可能であり、顧客の購入意欲を高揚させることができるであろう。例えば営業担当者が持ち運びの可能なノートＰＣを持って顧客回りを行い、顧客の前で顧客の望む最適な組み合わせのコンベアを組み上げてその外観を表示しながら価格等の比較を繰り返し行うこともできる。
【００２５】
【発明の効果】
本発明コンベアの提供システムは、以上説明したように、少なくともコンベアの駆動ユニットと、搬送路を構成するフレームと、ローラと、脚とを各々複数種類ずつ用意し、これらの要素をコンベアの顧客が選択して行き、特定のコンベアを構成するものであるから、既存のユニットや部品を利用しつつ顧客が望む最適なコンベアを提供することができる。これにより、営業上きめ細かなサービスが可能となる。
【００２６】
請求項２記載のコンベアの提供システムは少なくともコンベア駆動ユニットと搬送路を構成するフレームと、ローラとを各々複数種類ずつ用意し、これらのユニットや部品の図面や型式等をファイルに記入する。そして、顧客が用意されたコンベアのファイルの内容を見ながら各ユニットや部品等を順次選択して所望のコンベアを構成するものであるから、ファイルに記入される図面や型式等を見ながらユニットや部品の選択を分かりやすく進めることができる。
【００２７】
請求項３記載のシステムは、上記請求項２又は３記載のコンベアの提供システムにおいて、コンベアの顧客が選択したユニットや部品の組み合わせが可能か否かを表示したファイルを利用するものである。よって、顧客が選択した部品が組み合わせできない場合、すぐさまその組み合わせが不可能なものと分かり、次の代替え品を選ぶことができるのでユニットや部品の選択作業を円滑に行うことができる。
【００２８】
請求項４記載のシステムは、請求項２又は３記載のコンベアの選択システムにあって、上記したファイルの表示をコンピュータを利用して画面に順次表示し、顧客が同画面の表示を見ながらユニットや部品の選択を順次進行して所望のコンベアを構成するように成したものであるから、ユニットや部品等の選択を画面を切り換えながら円滑に行うことができる。
また、請求項３記載のファイルと同様な組み合わせの確認処理を上記選択作業を行いながら並行して行うことも可能であるからユニットや部品の選択作業をより円滑に行って顧客の望むコンベアを速やかに構成することができる。さらに、コンベアの合計価格を部品を交換しながら確認できるので、予算の決められた顧客などにも部品の選択を変更しながら所定の予算内で顧客の望むコンベアを提供することも可能である。
【図面の簡単な説明】
【図１】本発明のシステムにて使用するファイルｆａの全体を示す正面図。
【図２】同ファイルｆａの左半部を拡大して示す正面図。
【図３】同ファイルｆａの右半部を拡大して示す正面図。
【図４】本発明のシステムにて使用するファイルｆｂの全体を示す正面図。
【図５】本発明のシステムにて使用するファイルｆｃの左側部分を示す正面図。
【図６】同ファイルｆｃの中央部分を示す正面図。
【図７】同ファイルｆｃの右側部分を示す正面図。
【図８】コンベア部品選択のためのフロー図ｆｅの左半部。
【図９】同フロー図ｆｅの右半部。
【図１０】同フロー図により組み合わせたコンベアＡ２の３面図を示すファイル。
【図１１】図５〜図９のファイルを用いて組み合わせたコンベアＡ１の３面図を示すファイル。
【符号の説明】
Ａ１・・・ファイルｆａ，ｆｂを使用して顧客の部品選択により構成したコンベア。
Ａ２・・・ファイルｆｃ，ｆｅを使用して顧客の部品選択により構成したコンベア。
ｆａ・・・ファイル（部品選択のためのファイル）
ｆａ１・・・ファイルｆａの左半部の拡大
ｆａ２・・・ファイルｆａの右半部の拡大
ｆｂ・・・ファイル　　（部品組み合わせの是非を確認するためのファイル）
ｆｃ・・・ファイル（部品選択と組み合わせの是非を確認するためのファイル）
ｆｃ１・・・ファイルｆｃの左側部分の拡大。
ｆｃ２・・・ファイルｆｃの中央部分の拡大。
ｆｃ３・・・ファイルｆｃの右側部分拡大。
ｆｄ・・・ファイル（部品選択のためのフロー図）
【図１】
2004026425.tif 000003
【図２】
2004026425.tif 000004
【図３】
2004026425.tif 000005
【図４】
2004026425.tif 000006
【図５】
2004026425.tif 000007
【図６】
2004026425.tif 000008
【図７】
2004026425.tif 000009
【図８】
2004026425.tif 000010
【図９】
2004026425.tif 000011
【図１０】
2004026425.tif 000012
【図１１】
2004026425.tif 000013